【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
印刷手段による印刷処理の対象となるデータファイルを投入するためのフォルダに複数のデータファイルが投入されたか否かを判断する判断手段と、
前記フォルダに前記複数のデータファイルが投入されるまでの間は前記フォルダに投入されるデータファイルを印刷処理させず、前記フォルダに前記複数のデータファイルが投入されたことを前記判断手段によって判断したことに応じて、当該複数のデータファイルを１つの結合データファイルとして前記印刷手段により印刷処理させるように制御する印刷制御手段と
を有することを特徴とする印刷システム。
【請求項２】
前記印刷システムは、
前記複数のデータファイルに対応する複数のファイルアイコンを前記フォルダに対応するフォルダアイコンに対してオペレータがユーザインタフェースを用いてドラッグアンドドロップ操作することに応答して、前記フォルダに前記複数のデータファイルが投入されるように制御する操作制御手段を有し、
前記印刷制御手段は、
前記複数のファイルアイコンを前記フォルダアイコンにドラッグアンドドロップ操作する順序と同じ順序で前記複数のデータファイルが１つの結合データとして結合されるように制御することを特徴とする請求項１記載の印刷システム。
【請求項３】
前記印刷システムは、
前記印刷手段による印刷処理の対象となるデータファイルを投入するための複数のフォルダの各フォルダ毎に、複数のデータファイルを１つの結合データファイルとして前記印刷手段により印刷処理させる設定をオペレータがユーザインタフェースを用いて予め登録可能にする登録手段を有し、
前記印刷制御手段は、
前記登録手段によって前記設定が登録されたフォルダに１つの結合データファイルとする複数のデータファイルが投入されるまで当該フォルダに投入されるデータファイルの印刷処理を待機させるよう制御する一方で、
前記登録手段によって前記設定が登録されていないフォルダにデータファイルが投入された場合は、他のデータファイルが当該フォルダに投入されるまで当該データファイルの印刷処理を待機すること無しに、当該データファイルを前記印刷手段によって印刷処理させるように制御することを特徴とする請求項１又は２記載の印刷システム。
【請求項４】
前記印刷システムは、
前記１つの結合データファイルとするデータファイルの数を結合条件としてオペレータがユーザインタフェースを用いて予め設定可能にする結合条件設定手段を有し、
前記印刷制御手段は、
前記１つの結合データファイルとするデータファイルを投入するためのフォルダに前記結合条件設定手段によって設定された数の複数のデータファイルが投入されるまで当該フォルダに投入されるデータファイルの印刷処理を待機させるよう制御することを特徴とする請求項１乃至３の何れか１項に記載の印刷システム。
【請求項５】
前記印刷システムは、
前記１つの結合データファイルとするデータファイルの種類を結合条件としてオペレータがユーザインタフェースを用いて予め設定可能にする結合条件設定手段を有し、
前記印刷制御手段は、
前記１つの結合データファイルとするデータファイルを投入するためのフォルダを介して前記結合条件設定手段によって設定された種類とは異なる種類のデータファイルが前記印刷手段によって印刷処理されないように制御することを特徴とする請求項１乃至３の何れか１項に記載の印刷システム。
【請求項６】
前記印刷システムは、
前記結合条件設定手段により設定された結合条件を前記印刷手段による印刷処理が行われた後にオペレータがユーザインタフェースを用いて変更可能にする結合条件変更手段を有することを特徴とする請求項４または５に記載の印刷システム。
【請求項７】
前記結合条件設定手段により設定される結合条件は前記印刷手段による印刷処理の対象となるデータファイルに付加されることを特徴とする請求項４乃至６の何れか１項に記載の印刷システム。
【請求項８】
前記結合条件設定手段は、
前記印刷手段による印刷処理の対象となるデータファイルを投入するための複数のフォルダの各フォルダ毎に結合条件をオペレータがユーザインタフェースを用いて設定可能にすることを特徴とする請求項４乃至６の何れか１項に記載の印刷システム。
【請求項９】
前記１つの結合データファイルとするデータファイルを投入するためのフォルダはネットワーク共有されていないフォルダであって、前記印刷手段を有する印刷装置とデータ通信可能なコンピュータに存在することを特徴とする請求項１乃至８の何れか１項に記載の印刷システム。
【請求項１０】
前記１つの結合データファイルとするデータファイルを投入するためのフォルダは、ネットワーク共有されているフォルダであって、前記印刷手段を有する印刷装置および複数のコンピュータとデータ通信可能なサーバ装置に存在することを特徴とする請求項１乃至８の何れか１項に記載の印刷システム。
【請求項１１】
前記印刷制御手段は、
前記サーバ装置に存在する前記フォルダに前記複数のコンピュータから複数のデータファイルが投入されたことに応じて、当該複数のデータファイルを１つの結合データファイルとして前記印刷手段により印刷処理させるように制御することを特徴とする請求項１０記載の印刷システム。
【請求項１２】
前記印刷制御手段は、
ユーザインタフェースを用いてオペレータにより予め設定された印刷部数分、前記１つの結合データファイルの印刷結果に該当する印刷物を前記印刷手段によって作成させるよう制御することを特徴とする請求項１乃至１１の何れか１項に記載の印刷システム。
【請求項１３】
前記印刷制御手段は、
前記１つの結合データファイルの印刷結果に該当する印刷物にユーザインタフェースを用いてオペレータにより予め設定された後処理を後処理手段によって行わせるように制御することを特徴とする請求項１乃至１２の何れか１項に記載の印刷システム。
【請求項１４】
前記ユーザインターフェースは、前記印刷手段を有する印刷装置とデータ通信可能なコンピュータに具備されることを特徴とする請求項１乃至１３の何れか１項に記載の印刷システム。
【請求項１５】
前記ユーザインターフェースは、前記印刷手段を有する印刷装置に具備されることを特徴とする請求項１乃至１３の何れか１項に記載の印刷システム。
【請求項１６】
コンピュータに、
印刷手段による印刷処理の対象となるデータファイルを投入するためのフォルダに複数のデータファイルが投入されたか否かを判断する判断工程と、
前記フォルダに前記複数のデータファイルが投入されるまでの間は前記フォルダに投入されるデータファイルを印刷処理させず、前記フォルダに前記複数のデータファイルが投入されたことを前記判断工程によって判断したことに応じて、当該複数のデータファイルを１つの結合データファイルとして前記印刷手段により印刷処理させるように制御する印刷制御工程と
を実行させるためのプログラム。
【手続補正２】
【補正対象書類名】明細書
【補正対象項目名】発明の名称
【補正方法】変更
【補正の内容】
【発明の名称】印刷システム、プログラム
【手続補正３】
【補正対象書類名】明細書
【補正対象項目名】００１０
【補正方法】変更
【補正の内容】
【００１０】
本発明の目的を達成するために、例えば、本発明の印刷システムは以下の構成を備える。
【手続補正４】
【補正対象書類名】明細書
【補正対象項目名】００１１
【補正方法】変更
【補正の内容】
【００１１】
即ち、印刷手段による印刷処理の対象となるデータファイルを投入するためのフォルダに複数のデータファイルが投入されたか否かを判断する判断手段と、
前記フォルダに前記複数のデータファイルが投入されるまでの間は前記フォルダに投入されるデータファイルを印刷処理させず、前記フォルダに前記複数のデータファイルが投入されたことを前記判断手段によって判断したことに応じて、当該複数のデータファイルを１つの結合データファイルとして前記印刷手段により印刷処理させるように制御する印刷制御手段と
を有することを特徴とする。
【手続補正５】
【補正対象書類名】明細書
【補正対象項目名】００１２
【補正方法】変更
【補正の内容】
【００１２】
本発明の目的を達成するために、例えば、本発明のプログラムは以下の構成を備える。
【手続補正６】
【補正対象書類名】明細書
【補正対象項目名】００１３
【補正方法】変更
【補正の内容】
【００１３】
即ち、コンピュータに、
印刷手段による印刷処理の対象となるデータファイルを投入するためのフォルダに複数のデータファイルが投入されたか否かを判断する判断工程と、
前記フォルダに前記複数のデータファイルが投入されるまでの間は前記フォルダに投入されるデータファイルを印刷処理させず、前記フォルダに前記複数のデータファイルが投入されたことを前記判断工程によって判断したことに応じて、当該複数のデータファイルを１つの結合データファイルとして前記印刷手段により印刷処理させるように制御する印刷制御工程と
を実行させるための。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】